(57)【要約】【課題】  高音質で通話中の背景楽音を再生することができる電話端末装置を提供する。【解決手段】  通話中に通話相手の電話端末装置から楽曲データを受信する受信手段と、楽曲データから楽音信号を生成する生成手段と、通話中に楽音信号に基づいて楽音を発音する発音手段とを備える。【選択図】    図１
2005217614.tif 000002
【特許請求の範囲】
【請求項１】
通話中に通話相手の電話端末装置から楽曲データを受信する受信手段と、
前記楽曲データから楽音信号を生成する生成手段と、
通話中に前記楽音信号に基づいて楽音を発音する発音手段と
を備えたことを特徴とする電話端末装置。
【請求項２】
楽曲データを記憶する記憶手段と、
前記記憶手段から楽曲データを読み出して、通話相手の電話端末装置に対して送信する楽曲データ送信手段と、
前記楽曲データ送信手段によって通話相手の電話端末装置に対して送信した楽曲データから楽音信号を生成する生成手段と、
通話中に前記楽音信号に基づいて楽音を発音する発音手段と
を備えたことを特徴とする電話端末装置。
【請求項３】
受話音声の音声信号と前記楽音信号を混合する混合手段をさらに備え、
前記発音手段は、前記混合手段により混合された前記音声信号と前記楽音信号に基づいて発音することを特徴とする請求項１または２に記載の電話端末装置。
【請求項４】
前記楽曲データは、他の装置に転送された時の保存の可否を設定する設定情報を含むフォーマットのデータであることを特徴とする請求項１ないし３のいずれかに記載の電話端末装置。
【請求項５】
楽曲データから楽音信号を生成する生成手段と、前記楽音信号に基づいて楽音を発音する発音手段とを備えた電話端末装置における楽曲再生方法であって、
発信側の電話端末装置が、予め記憶しておいた楽曲データを読み出して、通話中の相手の電話端末装置に対して送信する楽曲データ送信過程と、
着信側の電話端末装置が、通話中に通話相手の電話端末装置から楽曲データを受信し、前記生成手段により該楽曲データから楽音信号を生成し、通話中において前記発音手段により該楽音信号に基づいて楽音を発音することを特徴とする電話端末装置における楽曲再生方法。
【請求項６】
前記発信側の電話端末装置において、前記生成手段により通話相手の電話端末装置に対して送信した楽曲データから楽音信号を生成し、通話中に該楽音信号に基づいて楽音を発音することを特徴とする請求項５に記載の電話端末装置における楽曲再生方法。
【発明の詳細な説明】
【技術分野】
【０００１】
本発明は、通話時に所望の楽曲を演奏することができる電話端末装置及び楽曲再生方法に関するものである。
【背景技術】
【０００２】
携帯電話システムや簡易型携帯電話システムにおいて、ユーザが携帯している電話端末装置に着信があった際には、着信をユーザに報知するために着信音が放音される。近年はこの着信音としてユーザの好みのメロディ音が使用されている。このような携帯可能な電話端末装置等においては、着信時にはメロディ音が放音されるものの、相手側の電話端末装置と通話している際には、相手の声しか聞くことができず会話が弾まなかったり、ぎこちない会話となり易いものであった。このような問題を解決するために、相手側の電話端末装置と通話している際に背景楽音を聞きながら通話できるようにした電話端末装置が知られている（例えば、特許文献１参照）。
【特許文献１】特開２００１−０６０９９３号公報
【発明の開示】
【発明が解決しようとする課題】
【０００３】
しかしながら、特許文献１に示す電話端末装置にあっては、通話の送話信号に対して楽音信号を背景音楽として混合して伝送するものであるため、通話相手の電話端末装置においては、背景楽音の音質が多少劣化してしまうという問題がある。
【０００４】
本発明は、このような事情に鑑みてなされたもので、高い音質で通話中の背景楽音を再生することができる電話端末装置及び楽曲再生方法を提供することを目的とする。
【課題を解決するための手段】
【０００５】
請求項１に記載の発明は、通話中に通話相手の電話端末装置から楽曲データを受信する受信手段と、前記楽曲データから楽音信号を生成する生成手段と、通話中に前記楽音信号に基づいて楽音を発音する発音手段とを備えたことを特徴とする。
【０００６】
請求項２に記載の発明は、楽曲データを記憶する記憶手段と、前記記憶手段から楽曲データを読み出して、通話相手の電話端末装置に対して送信する楽曲データ送信手段と、前記楽曲データ送信手段によって通話相手の電話端末装置に対して送信した楽曲データから楽音信号を生成する生成手段と、通話中に前記楽音信号に基づいて楽音を発音する発音手段とを備えたことを特徴とする。
【０００７】
請求項３に記載の発明は、受話音声の音声信号と前記楽音信号を混合する混合手段をさらに備え、前記発音手段は、前記混合手段により混合された前記音声信号と前記楽音信号に基づいて発音することを特徴とする。
【０００８】
請求項４に記載の発明は、前記楽曲データは、他の装置に転送された時の保存の可否を設定する設定情報を含むフォーマットのデータであることを特徴とする。
【０００９】
請求項５に記載の発明は、楽曲データから楽音信号を生成する生成手段と、前記楽音信号に基づいて楽音を発音する発音手段とを備えた電話端末装置における楽曲再生方法であって、発信側の電話端末装置が、予め記憶しておいた楽曲データを読み出して、通話中の相手の電話端末装置に対して送信する楽曲データ送信過程と、着信側の電話端末装置が、通話中に通話相手の電話端末装置から楽曲データを受信し、前記生成手段により該楽曲データから楽音信号を生成し、通話中において前記発音手段により該楽音信号に基づいて楽音を発音することを特徴とする。
【００１０】
請求項６に記載の発明は、前記発信側の電話端末装置において、前記生成手段により通話相手の電話端末装置に対して送信した楽曲データから楽音信号を生成し、通話中に該楽音信号に基づいて楽音を発音することを特徴とする。
【発明の効果】
【００１１】
本発明によれば、発信側と着信側それぞれが備えた発音手段によって楽曲データを演奏するようにしたため、劣化のない高品質な楽曲の再生を行うことが可能になるとともに、発信側と着信側の電話端末装置における通話中に再生される楽曲を共有することができるという効果が得られる。
【発明を実施するための最良の形態】
【００１２】
以下、本発明の一実施形態による電話端末装置を図面を参照して説明する。図１は同実施形態の構成を示すブロック図である。この図において、符号１、２は、移動通信を使用した電話端末装置である。符号３１、３２は、無線通信によって電話端末装置１、２のそれぞれと通信を行う基地局である。符号４は、各基地局３１、３２が接続される通信網である。この２つの電話端末装置１、２は、全く同一の装置であるが、説明を分かり易くするために、異なる符号を付けている。符号１０、２０は、基地局３１、３２との間で無線通信を確立し、通信網４を介して他の電話端末装置との間で通信を行う送受信部である。符号１１、２１は、送受信部１０、２０からの受話用の音声信号を復号化してスピーカ１２、２２へ送ると共に、マイク１３、２３からの送話用の音声信号を符号化して送受信部１０、２０へ送る音声処理部である。符号１２、２２は、相手の話者の音声を発するスピーカである。符号１３、２３は、通話者の音声を集音するマイクである。符号１４、２４は、音声信号をミキシングするオーディオミキサである。符号１５、２５は、楽曲データ等のシーケンスデータを演奏するシーケンスデータ演奏部である。符号１６、２６は、電話の着信時に楽曲データを再生した音を発する着信メロディスピーカ（以下、着メロスピーカという）である。符号１７、２７は、通話中に背景楽曲を演奏する命令の制御を行う演奏命令制御部である。符号１８、２８は、ダイヤルキーやファンクションキーから構成される入力部である。符号１９、２９は、楽曲データ等のシーケンスデータを記憶するシーケンスデータ記憶部である。シーケンスデータ演奏部１５は、シーケンスデータ記憶部１９内に記憶されているシーケンスデータから楽音信号を生成し、着信時に着メロスピーカ１６から着信メロディを発音させるとともに、通話時においては、オーディオミキサ１４を介して、受話音声の信号に対して楽曲データから生成した楽音信号を混合してスピーカ１２から発音させる。
【００１３】
次に、図１に示す電話端末装置１、２の動作を説明する。以下の説明では、電話端末装置１が発信側の装置であり、電話端末装置２が着信側の装置であるものとして説明する。初めに、各電話端末装置間で送受信される楽曲データについて説明する。楽曲データは、携帯端末用マルチメディアコンテンツのフォーマットであるＳＭＡＦ（Synthetic music Mobile Application Format）のデータである。このＳＭＡＦを使用した楽曲データは、データ中にコピーステータスを持っており、コピー回数の制限やデータ保存の可否を、データ提供側が設定することができる。
【００１４】
次に、各電話端末装置１、２それぞれのユーザが予め操作しておく必要がある操作内容について説明する。まず、発信側のユーザは、インターネット等の楽曲データ提供サイトから所望の楽曲データをダウンロードし、シーケンスデータ記憶部１９へ楽曲データを記憶しておく。シーケンスデータ記憶部１９には、複数の楽曲データを記憶することが可能であり、この場合には各楽曲データを識別することができる情報（曲名等）をシーケンスデータに付与して記憶する。このダウンロードは、公知の方法を用いるため、ここでは、詳細な説明を省略する。そして、発信側のユーザは、入力部１８を操作して、通話時に再生する楽曲データをシーケンスデータ記憶部１９の中から選択する。演奏命令制御部１７は、この選択結果に基づいて、内部の図示せぬメモリ（ＲＡＭ）に楽曲データを識別する情報を保持する。
【００１５】
一方、着信側のユーザは、入力部２８を操作して、通話時に発信側の電話端末装置１から送信された楽曲データの再生を行うか否かと、受信した楽曲データを自己のシーケンスデータ記憶部２９へ保存するか否かの設定を行う。演奏命令制御部１７は、この設定結果（再生するか否か、保存するか否か）に基づいて、内部の図示せぬメモリ（ＲＡＭ）にこの設定内容を保持する。
この操作を行うことにより、発信側の電話端末装置１においては、通話時に再生する楽曲データがシーケンスデータ記憶部１９に記憶され、通話時に再生する楽曲データの識別情報が演奏命令制御部１７に保持されていることになる。また、着信側の電話端末装置２においては、通話時に楽曲データを再生するか否かと、受信した楽曲データを保存するか否かが保持されていることになる。
【００１６】
次に、図２を参照して、図１に示す電話端末装置１、２の通話時において、所望の楽曲データを再生する動作を説明する。図２は、図１に示す電話端末装置１、２の動作を示すフローチャートである。
まず、電話端末装置１の入力部１８から電話端末装置２の電話番号をダイヤルして発信を行う（ステップＳ１）。これを受けて送受信部１０は、発呼動作を行う。この発呼は、基地局３１、通信網４及び基地局３２を介して、電話端末装置２へ通知される。これを受けて、電話端末装置２の送受信部２０は、着呼を発信元へ返すことにより着信する（ステップＳ７）。これにより、発信側の電話端末装置１と着信側の電話端末装置２との通信回線が確立し、お互いの通話開始が可能となる（ステップＳ２、Ｓ８）。
【００１７】
通話開始が可能になったことを受けて演奏命令制御部１７は、内部に保持されている楽曲データ識別情報が付与された楽曲データをシーケンスデータ記憶部１９より読み出し、着信側の電話端末装置２に対して、送受信部１０を介して読み出した楽曲データを転送する（ステップＳ３、Ｓ４）。この楽曲データの転送は、送受信部１０において、音声処理部１１により符号化された通話音声の信号に楽曲データを多重化して行う。
【００１８】
また、演奏命令制御部１７は、楽曲データの転送動作と並行して、シーケンスデータ演奏部１５に対して、内部に保持されている楽曲データ識別情報を通知し、楽曲データの演奏を指示する。これを受けて、シーケンスデータ演奏部１５は、通知された楽曲データ識別情報を持つ楽曲データをシーケンスデータ記憶部１９より読み出し、読み出した楽曲データから楽音信号を生成し、この楽音信号をオーディオミキサ１４へ出力する。オーディオミキサ１４は、送受信部１０により受信し、音声処理部１１により復号化された電話端末装置２からの受話音声とシーケンスデータ演奏部１５から出力された楽音信号とを混合して、スピーカ１２から発音させる。これにより、受話音声の背景に選択した楽曲が演奏される（ステップＳ５）。受話音声の背景に混合される楽曲データの再生は、通話が終了するまで行われ（ステップＳ６）、１曲分の楽曲データの再生が終了した場合は、再び曲の先頭から繰り返し再生される。
【００１９】
これと並行して、着信側の送受信部２０は、電話端末装置１が送信した多重化信号を受信して、この多重化信号から受話音声信号と楽曲データを分離する。送受信部２０は、受話音声信号を音声処理部２１へ出力する。そして、音声処理部２１により復号化された受話音声信号はオーディオミキサ２４へ出力され、受話音声としてスピーカ２２から発音させる。一方、送受信部２０は、楽曲データをシーケンスデータ演奏部２５へ出力する（ステップＳ９、Ｓ１０）。演奏命令制御部２７は、楽曲データが受信されたことを受けて、内部に保持されている楽曲データを再生するか否かと、受信した楽曲データを保存するか否かの設定情報に基づいて、楽曲データの演奏と保存を行う指示をシーケンスデータ演奏部２５に対して通知する。
【００２０】
この指示が楽曲データの演奏を行う指示であれば、シーケンスデータ演奏部２５は、受信した楽曲データから楽音信号を生成し、この楽音信号をオーディオミキサ２４へ出力する。オーディオミキサ２４は、送受信部２０により受信し音声処理部２１によって復号化された電話端末装置１からの受話音声信号とシーケンスデータ演奏部２５から出力された楽音信号とを混合して、スピーカ２２から発音させる。これにより、受話音声の背景に発信側の電話端末装置１が送信した楽曲が演奏される（ステップＳ１１）。受話音声の背景に混合される楽曲データの再生は、通話が終了するまで行われ（ステップＳ１２）、１曲分の楽曲データの再生が終了した場合は、再び曲の先頭から繰り返し再生される。
【００２１】
また、演奏命令制御部２７からの指示が楽曲データの保存であった場合、シーケンスデータ演奏部２５は、受信した楽曲データをシーケンスデータ記憶部２９へ記憶する。ただし、この保存動作が行われるのは、受信した楽曲データ中に保存を許可する設定情報が含まれていた場合に限られる。したがって、着信側の電話端末装置２において、楽曲データ保存の設定がされていても、受信した楽曲データ中のコピーステータスに保存を許可する設定情報が含まれていない場合には、保存動作は行われない。また、楽曲データの演奏と保存を行う指示がされなかった場合、すなわち、楽曲データの演奏と保存を行う設定がされていない場合は、楽曲データの演奏及び保存動作は行われず、スピーカ２２からは受話音声が発音するのみである。
【００２２】
このように、発信側の電話端末装置において、通話中に楽曲データを演奏するとともに、この楽曲データを通話の音声信号に多重化して着信側へ転送し、着信側の電話端末装置において、多重化された信号から楽曲データを分離して、この楽曲データを通話中に演奏するようにし、発信側と着信側それぞれが備えたシーケンスデータ演奏部によって楽曲データを演奏するようにしたため、劣化のない高品質な楽曲の再生を行うことが可能になるとともに、発信側と着信側の電話端末装置における通話中に再生される楽曲を共有することができる。このため、和む会話を行うことが可能となったり、会話の内容に応じて背景楽音を選択すれば、会話の雰囲気作りができるようになる。
【００２３】
なお、転送した楽曲データを必ずシーケンスデータ記憶部へ記憶するようにして、受信側の電話端末装置に対する転送が終了した時点で、楽曲データを読み出して演奏を開始するようにしてもよい。また、ステップＳ１１において、シーケンサ演奏部２５は楽曲データの全てを受信してから演奏開始をするのではなく、データを受信しながら同時に再生するようにしてもよい。こうすれば、全てのデータを受信するまで待つことなく演奏を開始することができる。また、発信側と着信側を同時に演奏開始させることで、発信側と着信側において同じタイミングで楽曲の演奏を行うことが可能となるため、よりよい状態で会話の雰囲気作りができるようになる。
【００２４】
また、通話中に入力部１８を操作することにより、演奏する楽曲データが新たに選択され場合は、シーケンスデータ記憶部１９に記憶されている楽曲データを改めて読み出し、この読み出した楽曲データを転送するとともに、演奏するようにしてもよい。このようにすることにより、通話の途中において背景で演奏される楽曲を変更することが可能となる。また、着信側が楽曲の選択を行い、この楽曲データの転送を着信側から発信側に対して行うようにしてもよい。また、通話相手の電話端末装置に対して、演奏命令を送信し、シーケンスデータ演奏部は、通話相手からの演奏命令に応じて、楽曲データの転送及び演奏を行うようにしてもよい。
【００２５】
また、前述した説明では、移動電話を例にして説明したが、図１に示す電話端末装置の構成を固定電話機が備えていてもよい。この場合においても、図２に示す動作を実行すれば、同様に劣化のない高品質な楽曲の再生を行うことが可能になるとともに、発信側と着信側の電話端末装置における通話中に再生される楽曲を共有することができる。
【００２６】
また、背景で演奏する楽曲の発音は、受話音声に混合せずに、着メロスピーカから発音させるようにしてもよい。
【００２７】
また、図２に示す電話端末装置それぞれの機能を実現するためのプログラムをコンピュータ読み取り可能な記録媒体に記録して、この記録媒体に記録されたプログラムをコンピュータに読み込ませ、実行することにより楽曲再生処理を行ってもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００２８】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００２９】
【図１】本発明の一実施形態の構成を示すブロック図である。
【図２】図１に示す電話端末装置１、２の動作を示すフローチャートである。
【符号の説明】
【００３０】
１、２・・・電話端末装置、１０、２０・・・送受信部、１１、２１・・・音声処理部、１２、２２・・・スピーカ、１３、２３・・・マイク、  １４、２４・・・オーディオミキサ、１５、２５・・・シーケンスデータ演奏部、１６、２６・・・着メロスピーカ、１７、２７・・・演奏命令制御部、１８、２８・・・入力部、１９、２９・・・シーケンスデータ記憶部、３１、３２・・・基地局、４・・・通信網
【図１】
2005217614.tif 000003
【図２】
2005217614.tif 000004